(57)【要約】      （修正有）【課題】グリップを握る際、手のひらでしっかり握ることが可能なゴルフクラブのグリップの提供。【解決手段】ヘッド１０１に一方の側が結合されたシャフト１０２の他方側の上段部に結合固定されるゴルフクラブのゴルフセーフティグリップ２００は、グリップエンド１０３から下方に向かうにつれて傾斜度が次第に細くなるテーパー四角柱形状に形成され、ゴルフセーフティグリップの各表面１０４は端から中央部方向に窪んだ形状に湾曲して形成した湾曲部３００とを具備する構成からなっており、グリップが手のひらで容易に回転しないようにし、アドレスの角度の変化を最小化し、手のひら表皮層に伝達される衝撃を減少させることによって手のひら表皮が剥がれたり、損傷することを防止するだけてなく、グリップを正確に把持することができ、把持した状態で手とヘッドの中心線が自然に一致してゴルフボールの打撃を精巧に行うことができるように構成した。【選択図】図５
2017047160.tif 000002
【特許請求の範囲】
【請求項１】
ヘッド１０１に一方の側が連結されたシャフト１０２（shaft）の他方側の上段部に結合固定されるゴルフクラブ１００のグリップ（grip）において、グリップエンド１０３から下方に向かうにつれて傾斜度（θ）で次第に細くなるテーパー四角柱形状に形成されたゴルフグリップ２００と、前記ゴルフセーフティグリップ２００の各表面１０４は端から中央部へ向かうにつれて窪んだ形状に湾曲して形成された湾曲部３００とを具備することを特徴とする、手関節にカスタマイズしたゴルフセーフティグリップ。
【請求項２】
前記ゴルフセーフティグリップ２００が、合成樹脂又はゴムからなり、中央部に長さ方向に中空部が形成され、中空部にシャフト１０２が挿入されて結合固定されていることを特徴とする、請求項１に記載の手関節にカスタマイズしたゴルフセーフティグリップ。
【請求項３】
前記ゴルフセーフティグリップ２００の各表面１０４が、斜線方向に沿って一定の間隔で形成された長い円筒形状の滑り止め突起４００が多数形成され、ゴルフセーフティグリップ２００の端は丸く形成されており、手で把持した時に柔らかい触感があり、指の節に疼痛をもたらす現象を防止できることを特徴とする、請求項１に記載の手関節にカスタマイズしたゴルフセーフティグリップ。
【請求項４】
前記滑り止め突起４００が、各表面１０４に形成された滑り止め突起４００の端部が隣接する表面１０４に形成された滑り止め突起４００の端部にゴルフセーフティグリップ２００の端を介して触れ合うように斜線方向に形成されていることを特徴とする、請求項３に記載の手関節にカスタマイズしたゴルフセーフティグリップ。
【請求項５】
前記滑り止め突起４００が、ゴルフセーフティグリップ２００の横方向又は縦方向に形成されたことを特徴とする、請求項３に記載の手関節にカスタマイズしたゴルフセーフティグリップ。
【請求項６】
前記湾曲部３００が、周縁部よりも中央部の窪みの深さ（ｔ）が１．５ｍｍ〜２．５ｍｍであり、グリップエンド１０３における四角形の断面において１辺の長さ（Ｌ）が２６ｍｍ〜２８ｍｍであることを特徴とする、請求項１に記載の手関節にカスタマイズしたゴルフセーフティグリップ。
【発明の詳細な説明】
【技術分野】
【０００１】
本発明はゴルフクラブ用グリップに関し、より詳しくは、グリップの表面が手関節及び手のひら表面の肉厚部分に合わせられるように、断面が四角形のグリップ面の中央部位を大きく窪ませるとともに、斜めの方向に沿って長い半円筒状の滑り止め突出部を一定の間隔で形成することによって、ゴルフクラブのスイングを安全に行い、且つ手のひらの角質、肉を保護することのできる、手関節にカスタマイズしたゴルフセーフティグリップに関する。
【背景技術】
【０００２】
現在のようなゴルフ競技が１５世紀半ばスコットランドで始められて以来、飛距離が向上したヘッドとシャフトは大いに改善されてきたが、クラブ（柄）の最下段部に結着している取っ手（グリップ）は、視覚的な固定観念によって丸いシャフトと同じようにシャフトに挟み易いように製作され、長期間使用することにより慢性化してきた。
【０００３】
そこで、円筒状のグリップによってもたらされる問題を解消するために開発された「滑り止めゴルフグリップ」が特許文献１として公開特許公報に開示されている（特許文献１参照）。
【０００４】
前記グリップは、図１に図示したようにゴルフグリップ２のグリップ４の周囲に第１ベルクロ部材１２が付着した構成からなっており、前記第１ベルクロ部材１２と噛み合って付着される第２ベルクロ部材１６がゴルフグローブ２０の指７の内側に付着したものである。
【０００５】
また、本発明の発明者によって開発された「ゴルフクラブ用多角形グリップ」が特許文献２として公開実用新案公報に開示されている。
【０００６】
前記特許文献２の「ゴルフクラブ用多角形グリップ」は、ゴルフクラブのヘッドに連結されたシャフト（shaft）の下段部に結合固定されるゴルフクラブ用グリップの外面を四角又は五角の多角形で形成して構成したものである。
【０００７】
このように、四角形又は五角形に形成されたゴルフクラブ用多角形グリップは、ゴルファーが把持する際に多角形グリップの４つの端が指関節にフィットするように基準としての機能を果たし、グリップの各面は指関節の間の節部分の表皮と面で接触することによって、ゴルフボールを打撃する際にアドレスの角度の変化を最小限にできるという利点がある。
【０００８】
しかし、前述の先行技術文献に開示された従来のゴルフクラブ用グリップは、指の表面とグリップの表面の接合が指の形状にフィットしない。即ち、図２に示される指のＸ線写真から確認できるように、各指の節と節が指関節によって一直線をなしており、円筒形のグリップを手で把持する際に、グリップの表面は丸いが、指は関節で曲ることで角をなすので、指の盛り上がった肉厚が指関節の間の空間に押し込まれてゴルファーの手のひらの皮膚を損傷させるという欠点があった。このような手のひらの皮膚損傷は多角柱のグリップの場合、図３に示す写真のように、さらにひどくなるという欠点があった。
【０００９】
さらに、ゴルフグローブを着用した場合も、ゴルフグローブの寿命が短縮し、グリップを手のひらでしっかりと握ることができないので、手で握ったグリップが揺れ動く状態でスイングするようになり、正確なスイングが行われない。よって、飛距離が短くなったり、スライス或いはフックなどのミスショットを生じさせる問題があった。
【先行技術文献】
【特許文献】
【００１０】
【特許文献１】大韓民国特許公開第２００７−００７８３５４号公報
【特許文献２】大韓民国実用新案公開第２０１１−００１０５２８号公報
【発明の概要】
【発明が解決しようとする課題】
【００１１】
本発明は前述の従来技術の諸問題を解決するために発明されたものであり、その目的は、グリップエンドからシャフトに結合された部分へと次第に細くなるテーパー四角柱形状に形成され、手のひらと指の間の膨らんだ肉厚部が安着できるように、前記四角柱の各表面は外部から内部の方向に沿って窪んだ形状で湾曲して形成され、各表面に斜め方向に長い半円筒状の滑り止め突起を一定の間隔で形成することによって、手のひらの膨らんだ肉厚部が窪んだグリップの凹部に安着し、グリップが手のひらで容易に回転しないようにし、アドレスの角度の変化を最小限にし、手のひらの表皮層に伝達される衝撃を低減させることによって、手のひらの表皮が剥がれたり、損傷することを防ぐ、手関節にカスタマイズしたゴルフセーフティグリップを提供することにある。
【００１２】
本発明の他の目的は、四角柱の各表面は外部から内部方向に窪んだ形状で湾曲して形成され、各表面に斜めの方向に沿って長い半円筒状の滑り止めが一定の間隔で形成されたグリップによって、初歩者でもゴルフクラブのグリップを正確に把持することができ、把持した状態で手とヘッドの中心線が自然に一致し、ゴルフボールの打撃を精巧に行うことができる、手関節にカスタマイズしたゴルフセーフティグリップを提供することにある。
【課題を解決するための手段】
【００１３】
前記目的を達成するための本発明の手関節にカスタマイズしたゴルフセーフティグリップは、ヘッド１０１に一方の側が連結されたシャフト１０２（shaft）の他方側の上段部に結合固定されるゴルフクラブ１００のグリップ（grip）において、グリップエンド１０３から下方に向かうにつれて傾斜度（θ）で次第に細くなるテーパー四角柱形状に形成されたゴルフグリップ２００と、前記ゴルフセーフティグリップ２００の各表面１０４は角から中央部へ向かうにつれて窪んだ形状に湾曲して形成された湾曲部３００とを具備することを特徴とする。
【発明の効果】
【００１４】
本発明は、グリップが手のひらで容易に回転しないようにし、アドレスの角度を最小限にさせ、手のひら表皮層から伝達される衝撃を低減させることによって手のひらの表皮が剥がれたり、損傷したりすることを防止できるだけでなく、初歩者でもゴルフクラブのグリップを正確に把持することができ、把持した状態で手とヘッドの中心線が自然に一致することによってゴルフボールの打撃を精巧に行うことのできる格別の長所を有する。
【図面の簡単な説明】
【００１５】
【図１】従来の滑り止めゴルフクラブの斜視図である。
【図２】一般的なゴルファーの手のＸ線の写真である。
【図３】ゴルファーの損傷した手の写真である。
【図４】本発明による手関節にカスタマイズしたゴルフセーフティグリップの斜視図である。
【図５】本発明による手関節にカスタマイズしたゴルフセーフティグリップ分解斜視図である。
【図６】本発明による手関節にカスタマイズしたゴルフセーフティグリップの拡大図である。
【図７】本発明による手関節にカスタマイズしたゴルフセーフティグリップの平面図である。
【図８】本発明による手関節にカスタマイズしたゴルフセーフティグリップの把持状態の例示図である。
【発明を実施するための形態】
【００１６】
以下、添付の図面を参照して本発明によるゴルフクラブ用グリップの好ましい実施例を詳細に説明する。
【００１７】
図４は本発明による手関節にカスタマイズしたゴルフセーフティグリップが採用されたゴルフクラブの斜視図、図５は本発明による手関節にカスタマイズしたゴルフセーフティグリップ分解斜視図、図６は本発明による手関節にカスタマイズしたゴルフセーフティグリップの拡大図、図７は本発明による手関節にカスタマイズしたゴルフセーフティグリップの平面図、図８は本発明による手関節にカスタマイズしたゴルフセーフティグリップ把持状態の例示図である。本発明による手関節にカスタマイズしたゴルフセーフティグリップは、ヘッド１０に一方の側が結合したシャフト（１０２、shaft）の他方側の上段部に結合固定されるゴルフクラブ１００のグリップ（Grip）において、グリップエンド１０３から下方に向かい傾斜度（θ）で次第に細くなるテーパー四角柱形状に形成されたゴルフセーフティグリップ２００と、前記ゴルフセーフティグリップ２００の各表面１０４は端から中央部に向かうにつれて窪んだ形状に湾曲して形成された湾曲部３００とを具備することを特徴とする。
【００１８】
前記ゴルフセーフティグリップ２００は合成樹脂又はゴムからなり、中央部に長さ方向に中空部が形成されることによって、中空部にシャフト１０２が挿入されて結合固定されている。
【００１９】
前記ゴルフセーフティグリップ２００の各表面１０４は、斜線方向に沿って一定の間隔で形成された長い円筒形状の滑り止め突起４００が多数形成され、ゴルフセーフティグリップ２００の端は丸く形成されており、手で把持した時に柔らかい触感があり、指の節に疼痛をもたらす現象を防止できるようにするのが好ましい。
【００２０】
前記滑り止め突起４００は、各表面１０４に形成された滑り止め突起４００の端部が隣接する表面１０４に形成された滑り止め突起４００の端部にゴルフセーフティグリップ２００の端を介して触れ合うように斜線方向に形成されている。
【００２１】
前記滑り止め突起４００は、ゴルフセーフティグリップ２００の横方向又は縦方向に形成された場合においても、同様にゴルフセーフティグリップ２００が手のひらで滑り動いて回転するのを防ぐことができる。
【００２２】
前記湾曲部３００は、周縁部よりも中央部の窪みの深さ（ｔ）が１．５ｍｍ〜２．５ｍｍであり、グリップエンド１０３における四角形の断面において１辺の長さ（Ｌ）が２６ｍｍ〜２８ｍｍであることが好ましい。
【００２３】
次いで、前述のとおり構成された本発明の手関節にカスタマイズしたゴルフセーフティグリップの使用状況に応じた適用について詳細に説明する。
【００２４】
まず、本発明のカスタマイズしたゴルフセーフティグリップ２００は図４に示されるようにゴルフセーフティグリップ２００の中空部にヘッド１０１が装着されたシャフト１０２の上段部が挟まれて固定されるが、この時セーフティグリップ２００の外部表面１０４のいずれか１面が、ヘッド１０１と交差するようにゴルフセーフティグリップ２００がシャフト１０４に装着される。
【００２５】
ここで、セーフティグリップ２００のいずれか１面とヘッド１０１の交差は、垂直ではなく、所定の角度でずれていてもよい。
【００２６】
ゴルファーがゴルフクラブ１００を使用しようとする場合、図８に示されるようにゴルフクラブ１００にあるシャフト１０２の端部に固定されたゴルフセーフティグリップ２００を左手５０の手のひら又は人差し指、中指、薬指、小指に斜めに置き、手の後ろ側で人差し指の間に掛かるようにするが、ゴルフセーフティグリップ２００の１面が人差し指、中指、薬指、小指の基節５２の上に掛かって手の後ろ側で人差し指の間に掛かるようにする。
【００２７】
この状態でゴルファーは人差し指をかがめて、引き金を引き寄せるような形にし、残りの中指、薬指及び小指を全てかがめて四角柱形状のゴルフセーフティグリップ２００をしっかりと把持すると、ゴルフセーフティグリップ２００の３つの端が手のひら５１と基節５２、基節５２と中節５３の間の関節、中節５３と末節５４の間の関節にぴったりと合うように安着して位置づけられる。
【００２８】
即ち、ゴルフクラブ１００のゴルフセーフティグリップ２００を左手５０の４つの指に掛かるように斜めに置き、人差し指をかがめてて引き金を引くような形にし、残りの指を全てかがめてゴルフセーフティグリップ２００をしっかりと把持すると、ゴルフセーフティグリップ２００の下面の両方の端は手のひら５１と基節５２の間の関節、基節５２と中節５３の間の関節に安置される基準線の機能を遂行し、４本の指をかがめた後人差し指でゴルフセーフティグリップ２００の上面を押さえながら握ると、自然に手のひら５１、基節５２、中節５３及び末節５４が四角柱に形成されたゴルフセーフティグリップ２００の４つの外面に位置されるようになる。
【００２９】
ここで、手のひら５１において、上に盛り上がった肉厚な表皮又は基節５２、中節５３、末節５４それぞれにおいて、上に厚く盛り上がった表皮はゴルフセーフティグリップ２００の端から中央に向かうにつれて窪んで湾曲した部分に密着して安着することによって、ゴルフセーフティグリップ２００とこれを把持した手のひら５１の指関節の間にはほとんど空間が形成されない。
【００３０】
したがって、左手５０で把持したゴルフセーフティグリップ２００に衝撃が伝達されたとしても、手のひら５１から上に盛り上がった肉厚の表皮及び基節５２、中節５３、末節５４それぞれにおいて、上に盛りあがった肉厚な表皮がそれぞれ指関節の空間に押し寄せられる現象がなくなることによって、ゴルフボールを打撃した際にシャフト１０２によって衝撃が伝達されたとしても左手５０は手のひら５１を保護することができる。
【００３１】
以上のように、ゴルフセーフティグリップ２００の４つの端が手のひら５１と基節５２の間の関節、基節５２と中節５３の間の関節、中節５３と末節５４の間の関節、末節５４の端部及び手のひら５１の間にびったり合うように入り込み、各節において盛り上がった肉厚の表皮がゴルフセーフティグリップ２００の４つの外面において窪んだ湾曲部分に安着することによって、ゴルフセーフティグリップ２００をしっかりと把持することができる。
【００３２】
このような状態でゴルファーがゴルフクラブ１００をスイングしてゴルフボールを打撃する場合、ゴルフクラブ１００にあるゴルフヘッド１０１の角度を容易に調節することができるため、アドレス動作を安全に行うことができ、ヘッド１０１にゴルフボールが打撃されてもヘッド１０１の角度が変わることを最小限にすることができ、飛距離の拡張及び、ＯＢを減らすことができる。
【００３３】
また、ゴルフセーフティグリップ２００の４つの面に斜線方向に沿って長い半円筒状の滑り止め突起（４００）が一定の間隔で突出形成されており、ゴルフクラブ１００をスイングする際に、ゴルフセーフティグリップ２００を把持した手のひら５１の内部で揺れ動いたり、滑ったりしないので、より安定した姿勢でゴルフボールを打撃でき、精巧なショット（shot）が可能となる。
【００３４】
以上、本発明を好ましい実施例として説明したが、本発明はこれに限定されるものではなく、発明の要旨を逸脱しない範囲内において様々変形して実施することができることは言うまでもない。
【符号の説明】
【００３５】
５０：左手
５１：手のひら
５２：基節
５３：中節
５４：末節
１００：ゴルフクラブ
１０１：ヘッド
１０２：シャフト（shaft）
１０３：グリップエンド
１０４：表面
２００：ゴルフセーフティグリップ
３００：湾曲部
４００：滑り止め突起
【図１】
2017047160.tif 000003
【図４】
2017047160.tif 000004
【図５】
2017047160.tif 000005
【図６】
2017047160.tif 000006
【図７】
2017047160.tif 000007
【図８】
2017047160.tif 000008
【図２】
2017047160.tif 000009
【図３】
2017047160.tif 000010